(57)【特許請求の範囲】
【請求項１】
二階建て以上の住宅の角部の一階に設けられた玄関構造であって、
上記住宅の少なくとも一つの出隅の角部において、この出隅の角部を挟む二つの壁の両方の一階部分が切り欠かれた形状の凹部が形成され、該凹部内の壁に玄関が設けられるとともに、上記凹部上が上記住宅の二階に被われた状態とされ、かつ、上記凹部上を被う二階部分の角部が支柱により支持されており、
上記凹部上を被う二階部分の上記角部を挟んで配置される二つの壁の下側縁部にそれぞれ梁状構造物が上記壁に沿って水平に配置され、かつ、これら梁状構造物が上記二階部分の上記角部で互いに接合されるとともに、上記梁状構造物が互いに接合された部分で上記支柱の上端部に接合され、
上記二本の梁状構造物に上記凹部を被う二階部分の床が支持されており、
上記支柱の上端部に、該支柱と上記梁状構造物とを接合する支持金物が設けられ、
この支持金物は、上記支柱の上端部に水平に配置される略正方形状の底板と、該底板から直角に立設され、上記梁状構造物同士の接合部における外側の側面に当接され、かつ平面視において直角に曲折した接合板と、上記底板から直角に立設され、上記梁状構造物同士の接合部における内側の側面に当接され、かつ平面視において直角に曲折するとともに、前記接合板より高さが低いガイド板と、を有し、上記接合板と上記梁状構造物が接合されていることを特徴とする玄関構造。
【請求項２】
上記二階の床が、矩形状の床パネルを敷き詰めることにより形成されていることを特徴とする請求項２記載の玄関構造。
【発明の詳細な説明】
【０００１】
【発明の属する技術分野】
本発明は、二階建て以上の住宅の角部に設けられた玄関の玄関構造に関するものである。
【０００２】
【背景の技術】
一般に、平面視して略四角形の住宅においては、住宅の角部の近傍に玄関を設けることにより、住宅の二つの方向に対して入出を容易なものとすることが行われている。例えば、住宅の南西の角部を挟む壁のどちらか一方の角部の近傍に玄関を形成すれば、住宅の南と西との二つの方向に対し入出が容易なものとなる。
【０００３】
また、一般的な住宅の玄関においては、玄関の外側に玄関ポーチが形成されるとともに、雨天時の玄関での出入に際し、出入する者が雨で濡れないように、玄関ポーチ上が、住宅から延出して設けられた庇や屋根で被われている。すなわち、一般的な住宅の玄関においては、玄関ポーチ及び玄関ポーチ上を被う屋根が住宅から延出するように設けられることになる。
【０００４】
【発明が解決しようとする課題】
ところで、住宅の玄関を設けようとする側の敷地に余裕がない場合には、上述のように玄関の外側に延出するように玄関ポーチを設けることができないので、玄関ポーチをなくすか、玄関の位置を設計変更する必要がある。また、上述の理由により、玄関の位置を設計変更した際に、玄関が住宅の敷地に接する道路から離れてしまった場合には、住宅の角部に玄関を形成するものとしても、住宅に対する出入が容易なものとならない。
【０００５】
また、玄関ポーチ上を比較的広い面積の屋根で被うものとした場合に、玄関ポーチに風が吹き込んだ場合に、上記屋根に風の吹き上げる力がかかることになる。すなわち、玄関ポーチ上の屋根を支持するためには、屋根の荷重等による鉛直方向下向きの力に対応するだけではなく、風による上向きの力にも対応しなければならず、上記屋根の先端部分を支柱で支持する場合に、屋根にかかる上向きの力にも対応できるように、支柱と屋根とを強固に接合する必要があり、上記屋根の形成に大きなコストがかかることになる。すなわち、上記支柱は、単に屋根の荷重を支持するように作用するものではなく、風により上向きの力がかかる屋根を、地盤側に繋いでおく作用を有するものである。
【０００６】
本発明は、上記事情に鑑みてなされたものであり、敷地内の住宅の配置の状態に係わらず、住宅の道路側の角部に玄関及び玄関ポーチを設けることを可能とするとともに、玄関ポーチ上を被う住宅の構造物を支持する構造を簡便なものとすることが可能な玄関構造を提供することを目的とするものである。
【０００７】
【課題を解決するための手段】
本発明の請求項１記載の玄関構造は、図１〜図３に示すように、二階建て以上の住宅の角部１の一階２に設けられたものであり、上記住宅の少なくとも一つの出隅の角部１において、この出隅の角部１を挟む二つの壁３、４の両方の一階部分が切り欠かれた形状の凹部５が形成され、該凹部５内の壁６に玄関８が設けられるとともに、上記凹部５上が上記住宅の二階９に被われた状態とされ、かつ、上記凹部５上を被う二階部分９ａの角部１が支柱１０により支持されており、
上記凹部５上を被う二階部分の上記角部１を挟んで配置される二つの壁１２、１３の下側縁部にそれぞれ梁状構造物（マグサ）１４、１５が上記壁１２、１３に沿って水平に配置され、かつ、これら梁状構造物１４、１５が上記二階部分９ａの上記角部１で互いに接合されるとともに、上記梁状構造物１４、１５が互いに接合された部分で上記支柱１０の上端部に接合され、上記二本の梁状構造物１４、１５に上記凹部５を被う二階部分９ａの床が支持されており、
上記支柱１０の上端部に、該支柱１０と上記梁状構造物１４、１５とを接合する支持金物２０が設けられ、この支持金物２０は、上記支柱１０の上端部に水平に配置される略正方形状の底板２０ａと、該底板２０ａから直角に立設され、上記梁状構造物１４、１５同士の接合部における外側の側面に当接され、かつ平面視において直角に曲折した接合板２１と、上記底板２０ａから直角に立設され、上記梁状構造物１４、１５同士の接合部における内側の側面に当接され、かつ平面視において直角に曲折するとともに、前記接合板２１より高さが低いガイド板２０ｂと、を有し、上記接合板２１と上記梁状構造物１４、１５が接合されていることを上記課題の解決手段とした。
【０００８】
上記構成によれば、住宅の角部１の一階２の凹部５内の壁６に玄関８が設けられており、上記凹部５内に玄関ポーチ１１を形成することができるので、上記住宅の角部の外側の敷地に余裕がなくとも、玄関８及び玄関ポーチ１１を形成することができる。従って、敷地内における住宅の配置がどのようなものとなっていても、住宅の道路側の角部１に玄関８及び玄関ポーチ１１を形成することができる。
【０００９】
また、凹部５内に玄関ポーチ１１を形成した場合には、玄関ポーチ１１が凹部５上を被う住宅の二階部分９ａに被われるので、玄関ポーチ１１上を屋根や庇で被う必要がない。また、玄関ポーチ１１上を該玄関ポーチ１１上に延出する住宅の二階部分９ａで被うものとした場合に、住宅の二階部分９ａが大きな荷重を有するので、強風により玄関ポーチ１１上に延出する二階部分９ａに上向きの力が作用しても、二階部分９ａの荷重が大きいので、上向きの力が押さえ込まれた状態となる。従って、二階部分９ａを支持する支柱１０は、必ずしも、二階部分９ａに強風等によりかかる上向きの力に対応する必要がなく、基本的に二階部分９ａの荷重を支持できれば良いので、二階部分９ａと支柱１０との接合構造を簡単なものとすることができる。
【００１０】
なお、上記住宅は、二階建て以上のもので、二階９の出隅の角部１の下に玄関９があるものならば良い。また、上記住宅の出隅の角部１を挟む二つの壁３、４の両方の一階２部分が切り欠かれた形状の凹部５とは、基本的に出隅の角部を挟む二つの壁３、４の両方に開口した凹部５であり、二つの壁３、４が面する方向に対しての出入を容易とするものである。また、支柱１０は、凹部５上を被う二階部分９ａの角部１を下から支持することができるものならば良い。また、玄関８は、凹部５内の一階の壁６に形成されるものならば良く、基本的に開口部と該開口部を開閉するドアや引き戸等の開閉部材からなるものである。
【００１１】
さらに、上記凹部５上を被う二階部分９ａは、この二階部分９ａの角部１を挟むように配置された二本の梁状構造物１４、１５と角部１の頂点に配置された支柱１０とにより支持されることになる。すなわち、凹部５は、一階の出隅の角部１の頂点の両側に開口部を設けることにより、容易に形成することができるとともに、凹部５が住宅の角部の一階部分において、角部１の頂点に配置された支柱１０の両側の壁３、４に開口部を形成した構造なので、凹部５を形成することにより、大きく強度が低下するようなことがない。
【００１２】
また、凹部５の形成に当たっては、凹部５内の壁を形成するために、例えば、入隅の角部を形成するように、入隅の角部を挟んで配置される壁６、７を設けるなどする必要がある。そして、上述のように凹部５内に壁６、７を設けることにより、凹部５上を被った状態、すなわち、オーバーハングした状態で設けられる二階部分９ａが、凹部５内の壁６、７と支柱１０と梁状構造物１４、１５とにより支持されることになり、オーバーハングした二階部分９ａを十分な強度で支持することができる。
【００１３】
さらに、支柱１０上に上記梁状構造物１４、１５を載せた状態で、梁状構造物１４、１５と接合板２１とを、例えば、釘等の接合部材で接合することにより、容易に支柱１０と梁状構造物１４、１５とを接合することができる。
【００１４】
すなわち、上述のように凹部５を被う二階部分９ａは、強風により上向きの力が作用しても、その荷重により上向きの力が打ち消されるので、上記支柱１０が上記二階部分９ａに強風によりかかる上向きの力に対応するように接合される必要がなく、基本的に上記二階部分９ａの荷重を上記支柱１０が支持する状態を保持できれば良いので、支柱１０と上記二階部分９ａとの接合を上述のような簡単なものとすることができる。
【００１５】
なお、上記凹部５が設けられた住宅の角部１にかかる水平応力は、例えば、凹部５内に設けられる壁６、７により対応することができる。また、上記住宅を木製とした場合に、上記梁状構造物１４、１５は、基本的に、木製のものとなるが、鋼製としても良い。また、支柱１０は、強度やサイズ等を考慮して鋼製とすることが好ましい。
さらに、スクリュー釘を打ち込む際には、梁状構造物１４、１５は、ガイド板２０ｂにより裏から押さえられた状態となり、容易に釘打ちを行うことができる。
【００１６】
本発明の請求項２記載の玄関構造は、上記二階９の床が、矩形状の床パネル（図３に図示）１６を敷き詰めることにより形成されていることを上記課題の解決手段とした。上記構成によれば、例えば、上記梁状構造物１４、１５と凹部５内に形成された壁６、７との上に床パネル１６の左右もしくは前後の側縁部が支持されるように、床パネル１６を敷き詰めることにより、容易に床を形成することができる。なお、上記床パネル１６は、例えば、木製の矩形の枠体の上面に面板を貼設したものであるが、そのほかの板体を床パネル１６として用いても良い。
【００１７】
【発明の実施の形態】
以下に、本発明の実施の形態の玄関構造を図面を参照して説明する。図１は、この玄関構造が用いられた住宅の外観の概略を示したものである。図１に示すように、この玄関構造は、二階建ての住宅の角部１の一階２に設けられたものであり、住宅の一つの出隅の角部１において、この角部１を挟む一階２の二つの壁３、４の両方の角部１側の側縁部がそれぞれ切り欠かれた形状の凹部５が形成され、該凹部５内の二つの壁６、７のうちの一方の壁６に玄関８が形成されている。
【００１８】
また、上記凹部５の上は、住宅の二階９に被われた状態とされ、かつ、上記凹部５上を被う二階部分９ａの角部が支柱１０により支持されている。また、一階２の凹部５においては、凹部５内の二つの壁６、７が、互いに直角に接合されて入隅の角部を形成している。また、凹部内の壁６は壁３に直角に接合され、凹部内の壁７は壁４に直角に接合されている。
【００１９】
そして、壁６には、玄関用の開口部が形成され、該開口部に玄関ドアを有する玄関サッシが取り付けられて玄関８が設けられている。また、凹部５の底部が玄関ポーチ１１となっている。そして、玄関ポーチ１１上が二階部分９ａに被われているので、玄関ポーチ１１上に屋根を設けなくとも良い構成となっている。
【００２０】
上記支柱１０は、二階９において、上記角部１を挟むように設けられた壁１２、１３の凹部５上に延出した部分の下側縁部に配置された梁状構造物であるマグサ１４、１５を支持するものである。そして、支柱１０は、玄関ポーチ１１を形成するベースコンクリート上に立設された鋼製のものである。そして、支柱１０は、図２及び図３に示すように、正方形状の底板（図示略）と、四角筒状の支柱本体１０ａと、該支柱本体１０ａ上に設けられた支持金物２０からなる。
【００２１】
上記支柱１０の底板は、玄関ポーチ１１のベースコンクリートに埋設されたアンカーボルト（図示略）等の接合部材によりベースコンクリートに強固に接合されている。
【００２２】
図２に示すように、上記支持金物２０は、支柱本体１０ａの上端に水平に配置される略正方形上の底板２０ａと、該底板２０ａの一つの角を挟む二つの辺からそれぞれ垂直に立設された二枚の接合板２１、２１と、接合板２１、２１と対向するように配置されたガイド板２０ｂ、２０ｂとからなるものである。
【００２３】
二枚の接合板２１、２１は、上記底板２０ａの一つの角で互いに直角に接合された状態となっている。また、接合板２１、２１には、スクリュー釘（図示略）を打ち込むための複数の貫通孔２２...が形成されており、接合板２１、２１にマグサ１４、１５の側面を重ねて配置した状態で、スクリュー釘を打ち込むことにより、接合板２１、２１とマグサ１４、１５とを接合できるようになっている。また、上記ガイド板２０ｂ、２０ｂは、接合板２１、２１に対して平行に配置されるとともに、接合板２１、２１と同様に二枚のガイド板２０ｂ、２０ｂ同士が直角に接合されている。また、ガイド板２０ｂ、２０ｂと接合板２１、２１との間隔がマグサ１４、１５の厚みとほぼ同じ長さとされ、接合板２１、２１とガイド板２０ｂ、２０ｂとの間にマグサ１４、１５を互いに直角になるように配置できるようになっている。
【００２４】
上記マグサ１４、１５は、角部１で互いに接合されることになるが、一方のマグサ１４の端部にマグサ１４の左右の厚みの半分の切欠部が形成され、該切欠部に他方のマグサ１５の端部が接合されるようになっている。
【００２５】
また、マグサ１４、１５の互いに接合される端部の反対側の端部は、一階の角部１を挟む壁３、４の凹部５側の側縁部に接合されて支持されている。なお、マグサ１４、１５と壁３、４との接合部分においては、マグサ１４、１５が図示しない梁受け金物もしくは方立を用いて支持されている。そして、上記マグサ１４、１５上には、矩形状の床パネル１６がその短辺側の側縁部をマグサ１４上に載せた状態で支持されている。
【００２６】
なお、図３に示すように、マグサ１５に長辺側の側縁部を沿わせて配置された一番端の床パネル１６においては、短辺側だけではなく長辺側の側縁部がマグサ１５上に配置されている。また、床パネル１６は、矩形枠状の枠体と該枠体の上面に貼設された面材からなるものである。また、枠体の内部には、必要に応じて図示しない棧材が配置されている。
【００２７】
そして、マグサ１４、１５においては、マグサ１４、１５の左右の厚みの内側の半分、すなわち、マグサ１４、１５の中心線までの部分に床パネル１６の側縁部が載せられて接合されており、マグサ１４、１５の左右の厚みの外側の半分には胴差１７が接合されている。そして、上記マグサ１４、１５上には、図４に示すように、上述の床パネル１６の側縁部と胴差１７を介して二階の壁１２、１３を構成する壁パネル１８が配置されている。また、壁１２の壁パネル１８と壁１３の壁パネル１８と角部１を挟む接合部分には、結合材１９が配置されている。また、マグサ１４、１５と、床パネル１６及び胴差１７と、壁パネル１８とは、接着剤等により接合されるとともに、胴差ボルト（図示略）により締結されている。
【００２８】
また、上記壁パネル１８は、矩形枠状の枠体と該枠体の左右両面に貼設された面材からなるものである。また、枠体の内部には、必要に応じて図示しない棧材が配置されている。また、二階の壁１２、１３と同様に一階の壁３、４等も壁パネル１８が用いられており、この一例の住宅は、床、壁、屋根等が木製パネルからなるパネル工法で施工された住宅である。
【００２９】
次に、上記の玄関構造において、支持金物２０を用いた支柱１０とマグサ１４、１５との接合方法を説明する。まず、支柱１の上で、マグサ１４、マグサ１５とが直角に接合されるように、支柱１０の支持金物２０上にマグサ１４、１５を載置する。この際に、マグサ１４、１５が互いに接合される端部において、マグサ１４、１５の端部が支持金物２０の接合板２１、２１とガイド板２０ｂ、２０ｂとの間に配置されるようにする。
【００３０】
従って、支持金物２０の接合板２１、２１及びガイド板２０ｂ、２０ｂは、マグサ１４、１５を支柱１０上に配置する際に、マグサ１４、１５の位置を決める機能を有する。そして、接合板２１、２１の貫通孔２２...からスクリュー釘を打ち込むことにより、支柱１０とマグサ１４、１５とを容易に接合することができる。また、スクリュー釘を打ち込む際には、マグサ１４、１５は、ガイド板２０ｂ、２０ｂにより裏から押さえられた状態となり、容易に釘打ちを行うことができる。そして、マグサ１４、１５上に床パネル１６...の端部を配置するとともに、床パネル１６...の端面に胴差１７、１７を配置する。
【００３１】
そして、マグサ１４、１５上には、床パネル１６...の端部と胴差１７、１７とを介して壁パネル１８...が配置されることになり、壁パネル１８...と床パネル１６の端部及び胴差１７、１７とは、胴差ボルト２５により締結されるようになっている。また、マグサ１４、１５と胴差１７、１７との接合部には、ガセット合板２６...が外側から貼設され、マグサ１４、１５と胴差１７、１７との接合が補強されるようになっている。
【００３２】
次に、このような玄関構造の作用について説明する。上記玄関構造によれば、住宅の出隅の角部１の一階２部分に凹部５が形成され、この凹部５内の壁６に玄関８が形成されるとともに、凹部５の底面に玄関ポーチ１１が形成され、玄関ポーチ１１上が住宅の上記出隅の角部１の二階部分９ａに被われて、角部１の二階部分９ａが玄関ポーチ１１の屋根の役割をしているので、住宅が占める領域から外側に延出するように、玄関ポーチ１１や玄関ポーチ１１の屋根を設ける必要がない。
【００３３】
従って、住宅の道路の近傍の角部１の外側に玄関ポーチ１１や玄関ポーチ１１の屋根を設ける余裕がなくとも、住宅の道路の近傍の角部１に玄関ポーチ１１を有する玄関８を設けることができる。また、凹部５内に玄関ポーチ１１を形成しているので、上述のように玄関ポーチ１１が住宅の二階部分９ａに被われるので、玄関ポーチ１１上を屋根や庇で被う必要がない。また、玄関ポーチ１１上を被う二階部分９ａが大きな荷重を有するので、屋根のように強風で吹き飛ばされる恐れがない。従って、強風時に凹部５上を被う二階部分９ａが吹き飛ばされないように、支柱１０と二階部分９ａとを強固に接合する必要がなく、部分９ａとの支柱１０と二階接合を容易に行うことができる。なお、支柱１０及び、支柱１０と二階部分９ａとの接合部は、二階部分９ａの荷重に十分耐えるものである必要がある。すなわち、支持金物２０の接合板２１、２１とマグサ１４、１５とをスクリュー釘等の接合部材で接合するものとしても、十分に凹部５上の二階部分９ａを支持することができる。
【００３４】
また、上記凹部５の形成に当たっては、一階の角部に支柱１０を配置し、角部１の左右の一階の壁３、４に開口部を設けることにより、容易に形成することができる。また、凹部５上に二階部分９ａがオーバーハングした状態で形成されることになるが、凹部５内に形成された壁７、８が設けられているので、この壁７、８と、支柱１０とマグサ１４、１５とにより、二階部分９ａを容易に支持することができるとともに、十分な強度で支持することができる。
【００３５】
また、床が床パネル１６を敷き詰めることにより形成されており、床パネル１６の側縁部を、上記壁７、８及びマグサ１４、１５に載置した状態で床パネル１６とこれら壁７、８やマグサ１４、１５とを接合することにより、通常のパネル工法の住宅と同様に容易に床を施工することができる。
【００３６】
【発明の効果】
本発明の請求項１記載の玄関構造によれば、住宅の角部の一階部分の凹部内の壁に玄関が設けられているので、上記凹部内に玄関ポーチを形成することができ、上記住宅の角部の外側の敷地に余裕がなくとも、玄関及び玄関ポーチを形成することができる。従って、敷地内の住宅の配置がどのようなものとなっていても、住宅の道路側の角部に玄関及び玄関ポーチを形成することができる。
【００３７】
また、凹部内に玄関ポーチを形成した場合には、玄関ポーチが凹部上を被う住宅の二階部分に被われるので、玄関ポーチ上を屋根や庇で被う必要がない。また、玄関ポーチ上を玄関ポーチ上に延出する住宅の二階部分で被うものとした場合に、住宅の二階部分が大きな荷重を有するので、強風時に上向きの力が作用しても、上記荷重により打ち消されることになる。従って、二階部分を支持する支柱は、必ずしも、二階部分が上方に移動するのを抑止する必要がなく、基本的に二階部分の荷重を支持できれば良いので、二階部分と支柱との接合構造を簡単なものとすることができる。
【００３８】
さらに、上記凹部上を被う二階部分は、この二階部分の角部を挟むように配置された二本の梁状構造物と角部の頂点に配置された支柱とにより支持されることになる。すなわち、凹部は、一階の出隅の角部の頂点の両側に開口部を設けることにより、容易に形成することができるとともに、凹部が住宅の角部の一階部分において、角部の頂点に配置された支柱の両側に開口部を形成した構造なので、凹部を形成することにより、大きく強度が低下するようなことがない。
【００３９】
また、支柱上に上記梁状構造物を載せた状態で、梁状構造物と接合板とを、例えば、釘等の接合部材で接合することにより、容易に支柱と梁状構造物を接合することができる。すなわち、上述のように凹部を被う二階部分は、その荷重により強風時の上向きの力に対応できるので、上記支柱が上記二階部分が上方に移動しないように接合される必要がなく、基本的に上記二階部分の荷重を上記支柱が支持する状態を保持できれば良いので、支柱と上記二階部分との接合を上述のような簡単なものとすることができる。
【００４０】
本発明の請求項２記載の玄関構造によれば、例えば、上記梁状構造物と凹部内に形成された壁との上に床パネルの左右もしくは前後の側縁部が支持されるように、床パネルを敷き詰めることにより、容易に床を形成することができる。
【図面の簡単な説明】
【図１】本発明の実施の形態の玄関構造を有する住宅の概略を示す要部断面図である。
【図２】本発明の実施の形態の玄関構造における支柱を示す要部斜視図である。
【図３】上記の玄関構造における支柱とマグサと床との接合構造を示す要部斜視図である。
【図４】上記の玄関構造における支柱とマグサと床及び壁との接合構造を示す要部斜視図である。
【符号の説明】
１    住宅の出隅の角部
２    一階
３    一階の壁
４    一階の壁
５    凹部
６    凹部内の壁
７    凹部内の壁
８    玄関
９    二階
１０  支柱
１４  マグサ（梁状構造物）
１５  マグサ（梁状構造物）
１６  床パネル
２１  接合板
【図１】
0003841117.tif 000002
【図２】
0003841117.tif 000003
【図３】
0003841117.tif 000004
【図４】
0003841117.tif 000005